(57)【要約】【課題】運搬・設置が容易であり、リサイクルでき、不陸への追従性が良く、人による持ち上げ・移動ができ、さらに水みち確保にも利用しうる新規筒状土嚢の提供。【解決手段】長さ方向と半径方向により規定される筒状土嚢であって、その１端は閉じ、他端は開いており、該筒状土嚢の長さは１．０〜３．０ｍであり、直径は該長さの１／５以下であり、該１端と該他端の近傍には帯状の取手が接続され、さらに該他端の近傍には紐が接続され、該紐で該他端の開口を結束・封止することにより、該筒状土嚢内に充填材が保持される、前記筒状土嚢、及び該筒状土嚢を用いた廃棄物上へのシート敷設方法。【選択図】なし【特許請求の範囲】
【請求項１】
長さ方向と半径方向により規定される筒状土嚢であって、その１端は閉じ、他端は開いており、該筒状土嚢の長さは１．０〜３．０ｍであり、直径は該長さの１／５以下であり、該１端と該他端の近傍には帯状の取手が接続され、さらに該他端の近傍には紐が接続され、該紐で該他端の開口を結束・封止することにより、該筒状土嚢内に充填材が保持される、前記筒状土嚢。
【請求項２】
長さが１．５〜２．５ｍであり、直径が０．１０〜０．２０ｍである、請求項１に記載の筒状土嚢。
【請求項３】
以下の工程：
廃棄物上にシートを広げ、そして
該シート上に、充填材を充填した請求項１又は２に記載の筒状土嚢を複数個所定間隔で配置することにより、該シートを仮固定する、
を含む、廃棄物上へのシートの敷設方法。
【請求項４】
前記所定間隔で配置された複数の筒状土嚢をロープで連結する、請求項３に記載の方法。
【発明の詳細な説明】
【技術分野】
【０００１】
本発明は、筒状土嚢に関する。より詳しくは、本発明は、廃棄物被覆用キャッピングシートの固定用の筒状土嚢及び該筒状土嚢を用いた該キャピングシート敷設方法に関する。
【背景技術】
【０００２】
廃棄物処分場は、地表を適度な深さに掘り下げて形成されており、その底から順に廃棄物を埋め立てるようになっている。このような廃棄物の飛散・流出防止、悪臭の拡散防止、衛生害虫の繁殖防止の観点から、日々の埋め立て作業終了後、廃棄物の上を３０〜５０ｃｍ程度の厚みの土で覆うことが行われていた。しかしながら、この方法には、廃棄物の埋立用量の減少や、覆土の風等による舞い上がり等の問題があるため、覆土に代えて、堆積した廃棄物に織布又は不織布からなるシートを被覆することが提案されている（以下、特許文献１参照）。
【０００３】
また、不法投棄物や汚染物の処理に際して、雨水の接触・浸透による汚濁水の発生抑制のために、汚染物等の表面にキャッピングシートを被覆・敷設する場合がある。汚染物の封じ込めなどの恒久対策に使用されるキャッピングシートでは、最終処分場における遮水シートと同様に、工場生産される規定幅のシートを敷設現場において接着・融着などにより固定することが行われる。
他方、廃棄物等撤去・掘削工事に先立つ仮設として、数ヶ月〜数年程度の比較的短時間、キャッピングシートを敷設する場合がある。このような仮設においては、キャッピングシートを撤去しやすいように、接着等の固定ではなく、重量物で該シートを仮に押さえる仮固定方法が採られている。すなわち、重量物による仮固定によりシートのめくれ等を抑えている。特に、キャッピングシートの仮設においては、不法投棄物や汚染物等の掘削作業に伴う撤去・再敷設などの繰り返し作業となることがあるため、容易に固定・撤去できる仮固定方法として、土嚢や丸太材などの重量物が用いられてきた。
【０００４】
従来のシートの仮固定には以下の重量物が用いられてきた。
［土嚢］
シートの仮固定方法としては、入手が容易であることから、市販の土嚢を用いる場合がある。例えば、市販の土嚢では、１５〜２０リッター程度の砂を充填した場合、３０ｋｇ程度の重量となるため、人力による運搬が可能である。但し、このような仮固定は、（面積が比較的小さいという意味で）点固定であり、また、低重量であるため、野天で風を受けた際などのシートのめくれ、舞い上がりに対しては、押さえとしての効果が期待できない。
【０００５】
［大型土嚢］
前記したように、市販の土嚢は軽量であり、シートのめくれ等に対する効果が期待できないので、１ｍ３程度のフレキシブルコンテナ（フレコンバック）を用いる場合がある。フレキシブルコンテナに砂を充填した場合には、１トン程度の重量になることがあるため、人力による移動は不可能であり、重機等により移動せざるをえないため、作業性が悪い。また、フレキシブルコンテナは大型であるため、コンテナ下にかかる荷重が大きく、シート素材の強度によっては破損することがある。そこで、強度の高い素材のシートを用いればシートを破損するおそれはないものの高コストとなり、仮設資材としては高価なものとなってしまう（図１参照）。
【０００６】
［丸太材］
重量を確保するとともに、運搬等の作業性を考慮したシートの仮固定として、丸太材を用いる場合がある。丸太材は、人力により運搬できるとともに、線状に配置することで、地盤に不陸がない場合にはキャッピングシート上に排水用の水みちを誘導したり、周辺からに水の流れ込みを止める等の効果が期待できる。また、重量物としての荷重が不足する場合には、丸太材３本を針金などで束ねて使うなどの工夫がなされている（図２参照）。しかしながら、丸太材は、例えば、立ち木の伐採のよるリサイクル利用などの観点から有効である一方で、均質で定形の物を多数調達しようとすると、かえって高価な物となり、流通量が制限されてしまうといった問題や、丸太の処分が大量に発生するといった問題がある。また、丸太材は、（面積が比較的小さいという意味で）点固定といえる前記した市販の土嚢や大型土嚢とは異なり、線固定となるものの、土嚢のようにシート面の凹凸に対する追従性がなく、形状が変形しないため、不陸や沈下による窪みなどが生じた場合に、前記した水みち等の線固定による効果を発揮することができなくなる。また、移動時に、丸太材の突起でシートを破損する場合があり、斜面への設置は不安定である。
【先行技術文献】
【特許文献】
【０００７】
【特許文献１】特開２００８−１５５１３６号公報
【発明の概要】
【発明が解決しようとする課題】
【０００８】
以上の従来技術の問題に鑑み、本発明が解決しようとする課題は、廃棄物上へのキャッピングシートの仮固定において、運搬・設置が容易であり、リサイクルでき、不陸への追従性が良く、人による持ち上げ・移動ができ、さらに水みち確保にも利用しうる重量物を提供することである。
【課題を解決するための手段】
【０００９】
発明者らは、鋭意検討し実験を重ねた結果、一定形状・大きさの筒状土嚢により前記課題を解決しうることを見出し、本発明を完成するに至った。
すなわち、本発明は以下のとおりのものである。
【００１０】
［１］長さ方向と半径方向により規定される筒状土嚢であって、その１端は閉じ、他端は開いており、該筒状土嚢の長さは１．０〜３．０ｍであり、直径は該長さの１／５以下であり、該１端と該他端の近傍には帯状の取手が接続され、さらに該他端の近傍には紐が接続され、該紐で該他端の開口を結束・封止することにより、該筒状土嚢内に充填材が保持される、前記筒状土嚢。
【００１１】
［２］長さが１．５〜２．５ｍであり、直径が０．１０〜０．２０ｍである、前記［１］に記載の筒状土嚢。
【００１２】
［３］以下の工程：
廃棄物上にシートを広げ、そして
該シート上に、充填材を充填した前記［１］又は［２］に記載の筒状土嚢を複数個所定間隔で配置することにより、該シートを仮固定する、
を含む、廃棄物上へのシートの敷設方法。
【００１３】
［４］前記所定間隔で配置された複数の筒状土嚢をロープで連結する、前記［３］に記載の方法。
【発明の効果】
【００１４】
本発明に係る筒状土嚢は、運搬・設置が容易であり、リサイクルでき、不陸への追従性が良く、人による持ち上げ・移動ができ、さらに水みち確保にも利用しうるので、廃棄物上へのキャッピングシートの仮固定に好適に利用可能である。
【図面の簡単な説明】
【００１５】
【図１】重量物としてフレキシブルコンテナを用いたシートの仮固定の例。
【図２】重量物として丸太材を用いたシートの仮固定の例。
【図３】本発明に係る筒状土嚢の概略図。
【図４】本発明に係る筒状土嚢の写真である。筒状土嚢は不陸に追従している。
【図５】本発明に係る筒状土嚢の設置例である。所定間隔で配置された複数の筒状土嚢がロープで連結されている。
【図６】本発明に係る筒状土嚢の設置例である。
【図７】本発明に係る筒状土嚢の設置例である。筒状土嚢は法面にロープで吊り下げられている。
【発明を実施するための形態】
【００１６】
以下、本発明を詳細に説明する。
本発明は、長さ方向と半径方向により規定される筒状土嚢であって、その１端は閉じ、他端は開いており、該筒状土嚢の長さは約１．０〜約３．０ｍであり、直径は該長さの約１／５以下であり、該１端と該他端の近傍には帯状の取手が接続され、さらに該他端の近傍には紐が接続され、該紐で該他端の開口を結束・封止することにより、該筒状土嚢内に充填材が保持される、前記筒状土嚢である。前記筒状土嚢の長さは、好ましくは１．５〜２．５ｍ、更に好ましくは約２．０ｍであり、直径は、好ましくは０．１０〜０．２０ｍ、更に好ましくは約０．１５ｍである。
【００１７】
図３を参照して、本発明に係る筒状土嚢の概要を説明する。
本発明に係る筒状土嚢の材質は特に制限されないが、例えば、旭化成ジオテック株式会社製のパブリックシート（登録商標）＃２５０であることができる。該パブリックシート（登録商標）は、高強度ポリエステル繊維からなり、常態では、引張強度が大きく適度な伸びがあり、高度の耐衝撃性があり、柔軟で、屈曲性に優れ、適当な排水性を有し、２年程度の期間においては、バクテリア・害虫による腐食がほとんど起こらないという特徴を有するため、好ましい。該パブリックシート（登録商標）の原反強度は約２５０ｋｇ／３ｃｍである。たとえば屋外で１．５年程使用した場合、引張強力が約３０％に、２年程使用した場合、約１０％に低下する場合があるが、以下に説明するように、筒状土嚢１袋の重量は約４５ｋｇ程度であるので、たとえ、２年程度屋外使用した場合の引張強力が約２５ｋｇ／３ｃｍに低下したとしても、筒状土嚢の長さ及び直径が上記の範囲であれば、破裂等のおそれはなく、安全に使用することができる。また、前記筒状土嚢の原料にカーボンブラック等の紫外線吸収剤を配合し、耐候性を向上させることもできる。
【００１８】
本発明の筒状土嚢は、図３に示すように、例えば、該パブリックシート（登録商標）を、一端を閉じた筒状形態に縫製し、併せて、輪状の帯状取手を１端と他端近傍に２個、さらに１本以上の紐を該他端近傍に縫着することにより製造することができる。該帯状取手は、主に、充填材を充填した筒状土嚢の持ち運びのために使用される。前記１端側の帯状取手は、該１端から０．３０ｍ以内の位置に縫着されていることが好ましい。前記他端側の帯状取手は、前記紐から０．３０ｍ以内の位置に縫着されていることが好ましい。前記紐は、使用時に筒状土壌内に充填材として砂等を適量充填した後に、開口部のある他端を結束し、充填材を筒状土嚢内に封止するために使用される。該紐は、前記他端から０．３０ｍ以内の位置に縫着されていることが好ましい。結束・封止された状態は、図６及び図７から明らかであろう。
【００１９】
筒状土嚢の大きさは、前記したように、その長さは、好ましくは約２．０ｍ、直径は、好ましくは約０．１５ｍであるが、その場合の容積は約０．０３５３ｍ３であるので、その８０％に充填材を充填できるとすれば、有効容積は０．０２８２ｍ３となる。該有効容積の８０％に充填材として山砂（比重２．０）を充填した場合の重量は、４５．１ｋｇと計算できる。したがって、かかる充填済み筒状土嚢は、作業員２人の人力により、持ち上げ・移動が可能である。
帯状取手及び紐の材質及びサイズは、かかる重量や作業員による作業性や安全性を考慮して、適宜選択することができる。
【００２０】
充填材は、例えば、山砂であることができる。本発明の筒状土嚢は、使用後に筒状土嚢から山砂を出して、使用済の筒状土嚢と山砂を分別して処分することができる。これらの処分は、丸太材の処分に比較して安価であり、また、処分場内でのリサイクル等が可能である場合もある。但し、丸太材に比較して、本発明に係る筒状土嚢に山砂を充填する手間はかかるが、丸太材にある突起はないため、シートを破損するおそれはない。
【００２１】
図４に示すように、本発明に係る筒状土嚢は、適宜充填材の充填率を調整することで、シートの凹凸（不陸）に追従することができる。また、図５及び図６に示すように、本発明に係る筒状土嚢は、互いにロープで連結されることができる。これにより、複数の筒状土嚢の移動が制限され、シートの仮固定を安定に行うことが可能となる。また、図７に示すように、本発明に係る筒状土嚢は、斜面（法面）に吊り下げるように設置することができるので、法面においてもシートの仮固定を安定に行うことができる。
【００２２】
さらに、図示しないが、水みちを確保するように、本発明に係る筒状土嚢を折り曲げたり、線状に配置することもできる。尚、丸太材の比重は１．０よりも小さく、不陸に追従せず、折り曲げたりできないので、水みちを形成することはできない。また、山砂の比重は２．０程度であるので、シート一定面積当りの重量を固定した場合には、直径１４ｃｍ長さ４ｍの丸太材を使用する場合に必要本数よりも、本発明に係る筒状土嚢の必要数は少なくて済む。
【００２３】
本発明は、以下の工程：
廃棄物上にシートを広げ、そして
該シート上に、前記筒状土嚢を複数個所定間隔で配置することにより、該シートを仮固定する、
を含む、廃棄物上へのシートの敷設方法にも関する。
図５〜７を参照し、技術常識を参酌すれば、本発明に係る廃棄物上へのシートの敷設方法が具体的に実施しうることは当業者にとって明らかであろう。
【産業上の利用可能性】
【００２４】
本発明に係る筒状土嚢は、運搬・設置が容易であり、充填材をリサイクルでき、不陸への追従性が良く、人による持ち上げ・移動ができ、さらに水みち確保にも利用しうるので、廃棄物上へのキャッピングシートの仮固定に好適に利用可能である。
【符号の説明】
【００２５】
１    筒状土嚢
２    帯状の取手
３    紐
【図２】
2014018775.tif 000002
【図１】
2014018775.tif 000003
【図３】
2014018775.tif 000004
【図４】
2014018775.tif 000005
【図５】
2014018775.tif 000006
【図６】
2014018775.tif 000007
【図７】
2014018775.tif 000008